(57)【要約】【課題】回路規模の増大を抑制しつつ、光を用いた装飾を施すことができる携帯端末装置を提供すること。【解決手段】本発明にかかる携帯端末装置１は、第１の筐体１１と、第１の液晶部１００と、第１の面に設けられた第１の表示パネル１３と、を備える。第１の筐体１１は、第１の面とは異なる第２の面に、第１の筐体を貫通する孔部１７を有する。孔部１７は、第１の液晶部１００から出射された光が、第１の筐体１１外部に漏れるように設けられている。【選択図】図３
2014090392.tif 000002
【特許請求の範囲】
【請求項１】
第１の筐体と、
前記第１の筐体に収容された第１の液晶部と、
前記第１の筐体の第１の面に設けられた第１の表示パネルと、を備え、
前記第１の筐体は、前記第１の面とは異なる第２の面に、前記第１の筐体を貫通する孔部を有し、
前記孔部は、前記第１の液晶部から出射された光が、前記第１の筐体外部に漏れるように設けられている携帯端末装置。
【請求項２】
前記第２の面は、前記第１の筐体の前記第１の面と反対側の面である請求項１に記載の携帯端末装置。
【請求項３】
前記孔部は、前記第１の液晶部に対向する位置に設けられている請求項２に記載の携帯端末装置。
【請求項４】
前記第１の液晶部は、前記第１の表示パネルに対向する面と反対側の面に反射部材を有する請求項１〜３のいずれか一項に記載の携帯端末装置。
【請求項５】
前記反射部材は、少なくとも一部に開口部を有する請求項４に記載の携帯端末装置。
【請求項６】
前記孔部には、光透過性を有する樹脂材料が設けられている請求項１〜５のいずれか一項に記載の携帯端末装置。
【請求項７】
前記第２の面の少なくとも一部は板金で形成され、
前記孔部は、前記板金に設けられている請求項１〜６のいずれか一項に記載の携帯端末装置。
【請求項８】
第２の筐体と、
前記第２の筐体の第３の面に設けられた操作部と、
前記第１の筐体と前記第２の筐体とを回転軸を中心に連結し、第１の状態において前記第１の面と前記第３の面とを内側に向けて、前記第１の筐体及び前記第２の筐体を連結する連結部と、
前記第１の液晶部と前記第２の面との間に設けられ、前記第２の面と平行な方向に移動可能な第１の遮光部材と、をさらに備え、
前記第１の遮光部材は、前記第１の状態と当該第１の状態と異なる第２の状態とのいずれか一方の状態において、前記第１の筐体の内側から前記孔部を覆う請求項１〜７のいずれか一項に記載の携帯端末装置。
【請求項９】
前記第１の遮光部材は、前記連結部に固定されており、前記第１の筐体及び前記第２の筐体の状態遷移に応じて、前記第２の面と平行な方向に移動する請求項８に記載の携帯端末装置。
【請求項１０】
第２の筐体と、
前記第２の筐体に収容された第２の液晶部と、
前記第２の筐体の第３の面に設けられた第２の表示パネルと、
前記第１の筐体と前記第２の筐体とを回転軸を中心に連結し、第１の状態において前記第１の面と前記第３の面とをそれぞれ外側に向けて、前記第１の筐体及び第２の筐体を連結する連結部と、
前記第１の状態において、前記第１の筐体及び前記第２の筐体の間に位置し、平面視において前記孔部の周囲で前記第１の筐体及び前記第２の筐体と当接する第２の遮光部材と、をさらに備える請求項１〜７のいずれか一項に記載の携帯端末装置。
【請求項１１】
前記第２の遮光部材は、前記第１の筐体に固定され、平面視において前記孔部を囲う枠体である請求項１０に記載の携帯端末装置。
【発明の詳細な説明】
【技術分野】
【０００１】
本発明は携帯端末装置に関する。
【背景技術】
【０００２】
近年、携帯電話やスマートフォンなどの携帯端末装置が普及している。多くの携帯端末装置は表示部を備える。表示部としてＬＣＤや有機ＥＬ（Electro Luminescence）等が用いられている。
【０００３】
例えば、特許文献１には、光を点灯及び消灯する複数の発光領域を有する発光部を備える携帯通信装置が開示されている。特許文献１に開示された携帯通信装置は、所定の発光パターンを生成し、生成した発光パターンに応じて、発光部を発光させる。
【先行技術文献】
【特許文献】
【０００４】
【特許文献１】特開２０１０−１０２０９７号公報
【発明の概要】
【発明が解決しようとする課題】
【０００５】
しかしながら、携帯端末装置を発光させることにより装飾を施す場合、特許文献１のように装飾専用の発光部を備える必要がある。そのため、携帯端末装置の回路規模が増大してしまう。その結果、携帯端末装置の小型化を図ることが困難であるという問題がある。
【０００６】
上記課題に鑑み本発明の目的は、回路規模の増大を抑制しつつ、光を用いた装飾を施すことができる携帯端末装置を提供することである。
【課題を解決するための手段】
【０００７】
本発明の一態様にかかる携帯端末装置は、第１の筐体と、前記第１の筐体に収容された第１の液晶部と、前記第１の筐体の第１の面に設けられた第１の表示パネルと、を備え、前記第１の筐体は、前記第１の面とは異なる第２の面に、前記第１の筐体を貫通する孔部を有し、前記孔部は、前記第１の液晶部から出射された光が、前記第１の筐体外部に漏れるように設けられているものである。
【発明の効果】
【０００８】
本発明により、回路規模の増大を抑制しつつ、光を用いた装飾を施すことができる携帯端末装置を提供することができる。
【図面の簡単な説明】
【０００９】
【図１】実施の形態１にかかる携帯端末装置の正面図である。
【図２】実施の形態１にかかる携帯端末装置の背面図である。
【図３】実施の形態１にかかる携帯端末装置の断面図である。
【図４】実施の形態１にかかる携帯端末装置の断面の部分拡大図である。
【図５】実施の形態１の変形例にかかる携帯端末装置の断面図の部分拡大図である。
【図６】実施の形態１の変形例にかかる携帯端末装置の断面図の部分拡大図である。
【図７】実施の形態２にかかる開状態の携帯端末装置の正面図である。
【図８】実施の形態２にかかる開状態の携帯端末装置の背面図である。
【図９】実施の形態２にかかる開状態の携帯端末装置の断面図である。
【図１０】実施の形態２にかかる閉状態の携帯端末装置の断面の部分拡大図である。
【図１１】実施の形態２にかかる開状態の携帯端末装置の断面の部分拡大図である。
【図１２】実施の形態２にかかる閉状態の携帯端末装置の断面の部分拡大図である。
【図１３】実施の形態３にかかる開状態の携帯端末装置の正面図である。
【図１４】実施の形態３にかかる開状態の携帯端末装置の背面図である。
【図１５】実施の形態３にかかる開状態の携帯端末装置の断面図である。
【図１６】実施の形態３にかかる閉状態の携帯端末装置の断面図である。
【発明を実施するための形態】
【００１０】
＜実施の形態１＞
以下、図面を参照して本発明の実施の形態１について説明する。図１〜図３は、本実施の形態にかかる携帯端末装置１の構成を示す図である。図１は、携帯端末装置１の正面図である。図２は、携帯端末装置１の背面図である。図３は、図２のＡ−Ａ断面図である。なお、携帯端末装置とは、例えばスマートフォン、タブレット型の携帯端末装置、携帯電話、ゲーム機、電子書籍端末などである。
【００１１】
図１〜図３に示すように、携帯端末装置１は、筐体１１と、レシーバ１２と、表示パネル１３と、板金１４と、基板１５と、バッテリ１６と、孔部１７と、液晶部１００と、を備える。
【００１２】
筐体１１は、図１に示した正面（第１の面）１１ａに表示パネル１３を有する。また、筐体１１は、図２に示した背面（第２の面）１１ｂに板金１４を有する。さらに、図３に示すように、筐体１１は、液晶部１００、基板１５、及びバッテリ１６を収容する。なお、筐体１１は、例えば、樹脂材料やカーボン材料等から形成される。
【００１３】
レシーバ１２は、筐体１１の正面１１ａに設けられている。レシーバ１２は、音声通話時に、通話相手の音声を出力する。また、レシーバ１２が、表示パネル１３に表示された動画等の音声を出力してもよい。
【００１４】
表示パネル１３は、筐体１１の正面１１ａの略中央に設けられる。表示パネル１３は、例えば、ガラス等を用いて形成される。表示パネル１３と後述する液晶部１００とが、ＬＣＤ（Liquid Crystal Display）を構成する。なお、表示パネル１３が、タッチパネル機能を備えていてもよい。
【００１５】
板金１４は、筐体１１の背面１１ｂに設けられ、背面１１ｂの一部を形成する。図２に示すように、板金１４は、背面１１ｂの表面に露出している。板金１４は樹脂材料よりも剛性が高い。そのため、背面１１ｂに板金１４を設けることにより、樹脂材料のみで形成された筐体に比べて強度を向上させつつ、薄型化を図ることができる。板金１４は、背面１１ｂに露出している領域に孔部１７を有する。
【００１６】
基板１５は、図示しない回路素子を有する。ここで、回路素子は、例えば携帯端末装置１を駆動するためのプロセッサ、メモリ、通信モジュール等の集積回路装置や、表示制御回路等である。
【００１７】
バッテリ１６は、基板１５や、液晶部１００に電源を供給する。バッテリ１６は、例えばリチウムイオン二次電池である。
【００１８】
孔部１７は、板金１４に微細加工を用いて形成された孔部である。微細な孔部１７を用いて文字や図形等の装飾が形成される。図２に示した例においては、複数の孔部１７が集合し、束になって「ＡＢＣ」という文字を形成している。孔部１７は、レーザを用いて形成される孔である。そのため、孔部１７の大きさは、孔部１７から光が漏れていなければ、ユーザが孔部１７を視認できない程度の大きさである。
【００１９】
図３に示すように、孔部１７は、筐体１１の背面１１ｂの一部である板金１４を貫通している。また、液晶部１００が配置される空間と孔部１７とは繋がっている。さらに、孔部１７は、液晶部１００と対向する位置に設けられている。孔部１７の大きさは、例えば直径０．０５ｍｍ程度である。
【００２０】
液晶部１００は、表示パネル１３の背面側に接して配置される。液晶部１００が発光することにより、表示パネル１３上に文字や画像等が表示される。図３に示すように、液晶部１００は、表示パネル１３と板金１４との間に位置する。
【００２１】
ここで、図４を参照して、液晶部１００の詳細構成について説明する。図４は、図３の破線で囲まれた部分の拡大図である。
【００２２】
液晶部１００は、ＬＥＤ（Light Emitting Diode）１０１と、液晶層１０２と、導光板１０３と、を有する。表示パネル１３側から、液晶層１０２、導光板１０３と並んで配置される。ＬＥＤ１０１は、導光板１０３の端部近傍に設けられている。なお、液晶層１０２は、図示しない偏光板やカラーフィルタ等も有するが、公知の構成であるため、詳細な説明は省略する。導光板１０３は、ＬＥＤ１０１が発光した光を液晶層１０２に導く。
【００２３】
このとき、図４に示すように、液晶部１００（導光板１０３）と板金１４とは接触していない。つまり、液晶部１００と板金１４との間には、クリアランスが存在する。なお、液晶部１００の位置固定は、筐体１１内に設けられたフレーム（図示省略）等に液晶部を固定することにより実現できる。また、板金１４の位置固定は、インサート成形を用いることにより、板金１４と筐体１１（例えば樹脂材料）とが一体的に形成され、固定することができる。
【００２４】
さらに、液晶部１００と板金１４との間には、他の部品が存在していない。つまり、液晶部１００（導光板１０３）と板金１４とは、筐体１１の厚み方向において対向して配置されている。
【００２５】
上記したように、液晶部１００が配置された空間と孔部１７とは繋がっている。このため、導光板１０３を伝搬する光は、液晶部１００と板金１４との間のクリアランスに出射される。そして、当該光は、孔部１７まで到達すると、孔部１７を通って筐体１１の背面１１ｂから筐体１１外部に出射される（図４の矢印参照）。つまり、ＬＥＤ１０１から出射された光が孔部１７から漏れる。これにより、筐体１１を背面１１ｂ側から見ると（図２参照）、孔部１７によって形成された装飾文字「ＡＢＣ」が光って見える。
【００２６】
以上のように、本実施の形態にかかる携帯端末装置１の構成によれば、筐体１１は、ＬＥＤ１０１を有する液晶部１００を有する。また、筐体１１は、表示パネル１３と反対側の面（背面１１ｂ）に孔部１７を有する。そして、ＬＥＤ１０１からの光が、孔部１７から筐体１１の外部に漏れる。このため、携帯端末装置１の背面１１ｂにおいて、光を用いた装飾を施すことができる。また、孔部１７から出射される光は、ＬＥＤ１０１からの光である。そのため、液晶部１００が発光しているとき（表示パネル１３に画像が表示されているとき）は、常に孔部１７は光っている。つまり、携帯端末装置１は、液晶部１００からの光を、表示用の光（バックライト）と装飾用の光とに共用している。その結果、光を用いた装飾専用の発光素子を別途必要としないため、携帯端末装置１の回路規模の増大を抑制することができる。加えて、装飾のために発光素子の個数を増やさなくてよいため、消費電力の増加も抑制することができる。
【００２７】
このとき、液晶部１００から表示パネル１３側への光量の低下が懸念される。しかしながら、上記の通り、孔部１７は、装飾された文字「ＡＢＣ」の形にくり抜かれた孔ではなく、微細な孔部１７の束を用いて装飾文字を形成している。そのため、外部へ漏れる光量を低減させることができる。その結果、液晶部１００から表示パネル１３側への光量の低下を抑制することができる。加えて、微細な孔部１７の束を装飾部分に用いることにより、１つの孔部を用いて構成された装飾部に比べて、光量のムラを低減することができる。特に、携帯端末装置１のように液晶部１００の光を用いた装飾の場合、装飾専用の発光部を有する携帯端末装置に比べて、装飾部の光量が少なくなる。このため、本実施の形態の携帯端末装置１には、微細な孔部１７の束を用いて装飾部分を形成することが有効である。
【００２８】
なお、上記の携帯端末装置１においては、孔部１７の内部は空洞であったが、光透過性を有する樹脂材料を孔部１７内に設けてもよい。つまり、孔部１７に光透過性を有する樹脂材料を充填してもよい。これにより、筐体１１外部から孔部１７を通って水やほこりが筐体１１内部に侵入してくることを防止できる。言い換えると、樹脂材料を充填することにより、携帯端末装置は、防水効果及び防塵効果を発揮することができる。
【００２９】
また、光透過性を有する樹脂材料として、透明な樹脂材料を用いてもよいが、乳白色の樹脂材料を用いてもよい。乳白色の樹脂材料を用いることにより、孔部１７を通る光を拡散させ、光のムラを低減することができる。その結果、孔部１７による装飾の美観を向上させることができる。
【００３０】
＜変形例＞
本実施の形態にかかる変形例について説明する。変形例にかかる携帯端末装置の断面の部分拡大図を図５及び図６に示す。図５及び図６に示す部分拡大図は、図４に示した部分拡大図に対応する位置の図である。変形例にかかる携帯端末装置においては、液晶部１００が、反射シート１０４をさらに有する点に特徴を有する。なお、その他の構成については携帯端末装置１と同様であるので、説明を適宜省略する。
【００３１】
反射シート１０４（反射部材）は、液晶部１００の表示パネル１３に対向する面と反対側の面に設けられている。つまり、反射シート１０４は、導光板１０３と板金１４との間に位置する。反射シート１０４は、導光板１０３から背面１１ｂ方向（液晶層１０２と反対方向）に漏れた光を、液晶層１０２側に反射させる。
【００３２】
このとき、図５に示すように、ＬＥＤ１０１と導光板１０３との間にクリアランスが存在している。このため、ＬＥＤ１０１から出射される光は、導光板１０３に入射される光もあれば、筐体１１内部に拡散する光もある。加えて、導光板１０３の端面から出射される光も筐体１１内部に拡散する。
【００３３】
つまり、反射シート１０４が配置された場合であっても、ＬＥＤ１０１及び導光板１０３から出射された光は、板金１４や反射シート１０４の裏面（背面１１ｂ側の面）に反射しながら、孔部１７に到達する。そして、ＬＥＤ１０１から出射された光は、孔部１７を通過して、携帯端末装置の外部に漏れる（図５の矢印参照）。その結果、上記の実施の形態と同様に、回路規模の増大を抑制しつつ、光を用いた装飾を施すことができる。
【００３４】
さらに、液晶部１００は、表示パネル１３に対向する面と反対側の面に反射シート１０４を有している。このため、反射シート１０４は、ＬＥＤ１０１から出射された光を効率的に、液晶層１０２側に反射することができる（図５の矢印参照）。したがって、液晶部１００から表示パネル１３側への光量の低下を抑制することができる。
【００３５】
加えて、図６に示すように、反射シート１０４が開口部１０５を有していてもよい。反射シート１０４は、少なくとも一部に開口部１０５を有する。開口部１０５においては、反射シート１０４が存在しないため、導光板１０３を伝搬した光が開口部１０５を通って板金１４側（背面１１ｂ側）に出射される。つまり、導光板１０３を伝搬した光が、液晶部１００と板金１４との間のクリアランスに出射される。そして、導光板１０３から出射された光は、孔部１７を通って筐体１１外部に漏れる（図６の矢印参照）。
【００３６】
このような構成により、上記の携帯端末装置１と同様に、回路規模の増大を抑制しつつ、光を用いた装飾を施すことができる。また、反射シート１０４が開口部１０５を有することにより、図４に示す構成に比べて、板金１４側に出射される光量を増加させることができる。さらに、開口部１０５以外の領域には反射シート１０４が配置されているため、開口部１０５以外では、反射シート１０４は、光を液晶層１０２側に反射する（図６の矢印参照）。そのため、反射シート１０４を配置しない構成に比べて、表示パネル１３方向への光の光量の低下を抑制できる。
【００３７】
なお、開口部１０５の位置は、特に限定されるものではないが、図６に示すように、孔部１７と対向する位置であることが好ましい。開口部１０５と孔部１７とが対向することにより、導光板１０３から出射された光が、開口部１０５を通って、直接孔部１７に届く。その結果、孔部１７を通って外部に出射される光の光量を増やすことができる。したがって、光を用いた装飾部分の明るさを向上させることができる。
【００３８】
＜実施の形態２＞
本発明にかかる実施の形態２について説明する。図７〜図１０は、本実施の形態にかかる携帯端末装置２の構成を示す図である。図７は、開状態における携帯端末装置２の正面図である。図８は、開状態における携帯端末装置２の背面図である。図９は、図８のＢ−Ｂ断面図である。図１０は、閉状態における携帯端末装置２の断面図である。なお、図１０は、図９に対応する断面の図である。
【００３９】
携帯端末装置２は、第１の筐体２１１と、第２の筐体２１２と、レシーバ２２と、表示パネル２３と、ヒンジ２４と、操作部２５と、板金２６と、孔部２７と、基板２８と、バッテリ２９と、液晶部２００と、遮光シート２２０と、を備える。
【００４０】
第１の筐体２１１は、主面２１１ａに表示パネル２３を有し、背面２１１ｂに板金２６を有する。また、第１の筐体２１１は、液晶部２００と遮光シート２２０とを収容する。第２の筐体２１２は、主面２１２ａに操作部２５を有する。また、第２の筐体２１２は、基板２８及びバッテリ２９を収容する。
【００４１】
ヒンジ２４（連結部）は、第１の筐体２１１と第２の筐体２１２とを開閉可能に連結する。より詳細には、ヒンジ２４は、第１の筐体２１１と第２の筐体２１２とを回転軸を中心に開閉可能に連結する。言い換えると、ヒンジ２４は、携帯端末装置２が閉状態（第１の状態）から開状態（第２の状態）へ、または、開状態（第２の状態）から閉状態（第１の状態）へと変化可能に、第１の筐体２１１と第２の筐体２１２とを連結する。また、ヒンジ２４は、閉状態において第１の筐体２１１の主面２１１ａ（第１の面）と第２の筐体２１２の主面２１２ａ（第３の面）とをそれぞれ内側に向けて連結する。言い換えると、ヒンジ２４は、閉状態において、主面２１１ａと主面２１２ａとが対向するように、第１の筐体２１１と第２の筐体２１２とを連結する。また、ヒンジ２４は、閉状態（第１の状態）から開状態（第２の状態）に回転軸を中心に第１の筐体２１１と第２の筐体２１２とを相対回転する。そして、ヒンジ２４は、閉状態における第１及び第２の筐体２１１、２１２を保持し、開状態における第１及び第２の筐体２１１、２１２を保持する。
【００４２】
操作部２５は、第２の筐体２１２の主面２１２ａに設けられ、複数のボタンを有する。操作部２５は、ユーザにボタンを押下されることにより、当該ボタンに対応する入力を受け付け、当該入力を基板２８に出力する。なお、操作部２５の構成や配置は、図７に示すものに限られない。
【００４３】
遮光シート２２０（第１の遮光部材）は、第１の筐体２１１内部に設けられている。遮光シート２２０の一端は、ヒンジ２４の内部に固定されている。遮光シート２２０は、後述するように、透過領域と遮光領域とを有する。透過領域は、光透過性を有する部材で形成される。遮光領域は、光透過性を有さない部材、つまり遮光性を有する部材で形成される。なお、携帯端末装置２のその他の構成については、実施の形態１の携帯端末装置１の構成と同様であるため、適宜説明を省略する。
【００４４】
続いて、図１１及び図１２を参照して、携帯端末装置２の動作について説明する。図１１は、開状態における携帯端末装置２の断面の部分拡大図である（図９の破線で囲まれた部分）。図１２は、閉状態における携帯端末装置２の断面の部分拡大図である（図１０の破線で囲まれた部分）。なお、図１２において、実際は表示パネル２３側に第２の筐体２１２が存在するが、説明の便宜のため、図示を省略している。
【００４５】
はじめに、図１１を参照して、携帯端末装置２が開状態の動作について説明する。液晶部２００は、ＬＥＤ２０１と、液晶層２０２と、導光板２０３と、を有する。なお、液晶部２００は、実施の形態１の変形例と同様に反射シートを有していてもよい。
【００４６】
ＬＥＤ２０１からの光は、導光板２０３を通り、導光板２０３の背面２１１ｂ側から出射される。図示は省略するが、このとき液晶層２０２側にも光は出射している。導光板２０３から出射された光は、孔部２７に向かう。
【００４７】
このとき、導光板２０３と孔部２７との間には遮光シート２２０が存在する。携帯端末装置２が開状態の場合は、遮光シート２２０の透過領域２２２が、孔部２７を覆っている。このため、導光板２０３から出射された光は、透過領域２２２を透過し、孔部２７を通過し、携帯端末装置２の外部に漏れる（図１１の矢印参照）。したがって、携帯端末装置２の背面２１１ｂにおいて、光を用いた装飾を施すことができる。
【００４８】
次に、図１２を参照して、携帯端末装置２が閉状態の動作について説明する。図１２に示す遮光シート２２０は、図１１に示した位置に比べて、上側に移動している。これは、遮光シート２２０の一端がヒンジ２４の内部に固定されており、ヒンジ２４の回転（携帯端末装置２の開閉）に応じて、遮光シート２２０の位置が移動するためである。
【００４９】
遮光シート２２０が移動したことにより、遮光領域２２１（透過領域２２２）と孔部２７との相対的な位置関係が変化している。このため、図１２に示すように、遮光領域２２１が孔部２７全体を板金２６の内側から覆う。
【００５０】
携帯端末装置２の開状態の場合と同様に、ＬＥＤ２０１からの光は、導光板２０３を通り、導光板２０３の背面２１１ｂ側から出射される。図示は省略するが、このとき液晶層２０２側にも光は出射している。導光板２０３から出射された光は、孔部２７に向かう。
【００５１】
上記のように、孔部２７は、遮光領域２２１に覆われているため、導光板２０３から出射された光は、遮光領域２２１により遮光される。このため、導光板２０３から出射された光は、遮光領域２２１で止まる（図１２の矢印参照）。より詳細には、導光板２０３から出射された光は、遮光領域２２１で反射したり、吸収されたりして、孔部２７に到達しない。このため、ＬＥＤ２０１からの光は、孔部２７から外部に漏れない。その結果、携帯端末装置２の背面２１１ｂにおいて、光を用いた装飾は施されない。
【００５２】
以上のように、本実施の形態にかかる携帯端末装置２の構成によれば、ヒンジ２４が、第１の筐体２１１と第２の筐体２１２とを開閉可能に連結する。また、遮光シート２２０が、液晶部２００と板金２６（孔部２７）との間に設けられている。そして、携帯端末装置２の開閉状態に応じて、遮光シート２２０の孔部２７に対する相対的な位置が変化する。このため、開状態の場合に、孔部２７は透過可能になり、閉状態の場合、孔部２７が塞がれる。その結果、携帯端末装置２の開閉状態に応じて、光を用いた装飾の有無を変化させることができる。
【００５３】
なお、本実施の形態においては、開状態において、光が孔部２７を透過可能とし、閉状態において、光が孔部２７を透過不可としたが、これに限られるものではない。遮光シート２２０のヒンジ２４に対する固定位置や、遮光領域２２１及び透過領域２２２の配置を変えることにより、開状態において、光が孔部２７を透過不可とし、閉状態において、光が孔部２７を透過可能としてもよい。
【００５４】
また、図７に示したように、ヒンジ２４が、第１及び第２の筐体２１１、２１２の短辺を連結していたが、第１及び第２の筐体２１１、２１２の長辺を連結してもよい。
【００５５】
さらに、遮光シート２２０の移動手段は、上記の実施の形態に限定されるものではない。ユーザが遮光シート２２０を手動で移動させてもよいし、モータ等の駆動手段を用いて移動させてもよい。
【００５６】
＜実施の形態３＞
本発明にかかる実施の形態３について説明する。図１３〜図１６は、本実施の形態にかかる携帯端末装置３の構成を示す図である。図１３は、携帯端末装置３の正面図である。図１４は、携帯端末装置３の背面図である。図１５は、図１４のＣ−Ｃ断面図である。図１６は、閉状態における携帯端末装置３の断面図である。なお、図１６は、図１５に対応する断面図である。
【００５７】
携帯端末装置３は、第１の筐体３１１と、第２の筐体３１２と、レシーバ３２と、第１の表示パネル３３１と、第２の表示パネル３３２と、ヒンジ３４と、板金３５と、孔部３６と、基板３７と、バッテリ３８と、バンパー３９と、第１の液晶部３０１と、第２の液晶部３０２と、を備える。
【００５８】
第１の筐体３１１は、主面３１１ａに第１の表示パネル３３１及びレシーバ３２を有し、背面３１１ｂに板金３５及びバンパー３９を有する。また、第１の筐体３１１は、第１の液晶部３０１を収容する。第２の筐体３１２は、主面３１２ａに第２の表示パネル３３２を有する。また、第２の筐体３１２は、第２の液晶部３０２と、基板３７と、バッテリ３８と、を収容する。
【００５９】
ヒンジ３４は、第１の筐体３１１と第２の筐体３１２とを開閉可能に連結する。なお、本実施の形態においては、ヒンジ２４は、閉状態において、第１の筐体３１１の主面３１１ａ（第１の面）と第２の筐体３１２の主面３１２ａ（第３の面）とをそれぞれ外側に向けて連結する（図１６参照）。つまり、閉状態において、主面３１１ａと主面３１２ａとが反対方向を向く。言い換えると、閉状態において、第１の筐体３１１の背面３１１ｂと第２の筐体３１２の背面３１２ｂとが対向する。
【００６０】
バンパー３９（第２の遮光部材）は、第１の筐体３１１の背面３１１ｂに設けられる。バンパー３９は、略矩形上の枠体であり、板金３５の周縁部に沿って設けられている。また、バンパー３９は、平面視（例えば図１４）において、板金３５に設けられた孔部３６を囲むように配置される。バンパー３９は、遮光部材を用いて形成されている。
【００６１】
続いて、図１５、図１６を参照して、本実施の形態にかかる携帯端末装置３の動作について説明する。はじめに、図１５を参照して、携帯端末装置３が開状態の動作について説明する。なお、液晶部３００の詳細な構成については、図１１に示した構成と同様であるため、ＬＥＤや導光板等の図示及び説明を適宜省略する。
【００６２】
液晶部３００のＬＥＤからの光は、導光板を通り、背面３１１ｂ側から出射される。導光板から出射された光は、孔部３６に向かう。そして、導光板から出射された光は、孔部３６を通過し、携帯端末装置３の外部に漏れる（図１５の矢印参照）。したがって、携帯端末装置３の背面３１１ｂにおいて、光を用いた装飾を施すことができる。
【００６３】
次に、図１６を参照して、携帯端末装置３が閉状態の動作について説明する。図１６においては、バンパー３９と第２の筐体３１２の背面３１２ｂとが当接している。より詳細には、バンパー３９は、孔部３６の周囲において、第１の筐体３１１及び第２の筐体３１２と当接している。つまり、第１の筐体３１１、第２の筐体３１２、及びバンパー３９で囲まれた空間は、携帯端末装置３の外部の空間とは繋がっておらず、遮断されている。
【００６４】
このため、孔部３６から漏れた光は、バンパー３９に反射または吸収される。したがって、孔部３６から漏れた光は、第１の筐体３１１及び第２の筐体３１２の隙間から携帯端末装置３の外部に漏れない（図１６の矢印参照）。その結果、閉状態において、液晶３０１が点灯していても、光が携帯端末装置３の外部に漏れることを抑制できる。
【００６５】
特に、閉状態において表示パネルが内側を向く携帯端末装置と異なり、本実施の携帯端末装置３は、表示パネル３３１を外側に向けて折りたたまれる。そのため、閉状態において、液晶部３０１が、ユーザの操作に応じて点灯する場合がある。携帯端末装置３は、このときに漏れる光を効果的に遮断し、外部への光の漏れを抑制することができる。
【００６６】
以上のように、本実施の形態にかかる携帯端末装置３の構成によれば、バンパー３９が、平面視（例えば図１４）において、孔部３６を囲むように配置される。このため、閉状態において、バンパー３９と第２の筐体３１２の背面３１２ｂとが当接することにより、孔部３６と外部との空間を遮断することができる。その結果、閉状態において、孔部３６から漏れる光が、携帯端末装置３の外部に漏れることを抑制できる。
【００６７】
なお、本実施の形態においては、バンパー３９が第１の筐体３１１の背面３１１ｂに配置されている例を説明したが、これに限られるものではない。バンパー３９の配置位置は、閉状態の平面視において、孔部３６を囲んでいればよい。例えば、第２の筐体３１２の背面３１２ｂに配置されていてもよい。また、バンパー３９の一部が第１の筐体３１１側に配置され、それ以外の部分が第２の筐体３１２側に配置されていてもよい。さらに、バンパー３９の形状は、矩形状の枠体に限られず、他の多角形や楕円形であってもよい。
【００６８】
以上、本発明を上記実施形態に即して説明したが、上記実施形態の構成にのみ限定されるものではなく、本願特許請求の範囲の請求項の発明の範囲内で当業者であればなし得る各種変形、修正、組み合わせを含むことは勿論である。例えば、上記の実施の形態においては、筐体は、表示パネルが配置された面の反対側の面（背面）に孔部を有していたが、側面に孔部を有していてもよい。
【符号の説明】
【００６９】
１〜３  携帯端末装置
１１、２１、３１１、３１２  筐体
１２、２２、３２  レシーバ
１３、２３、３３１、３３２  表示パネル
１４、２６、３５、板金
１５、２８、３７  基板
１６、２９、３８  バッテリ
１７、２７、３６  孔部
２５  操作部
３４  ヒンジ
３９  バンパー
１００、２００、３０１、３０２  液晶部
１０１、２０１  ＬＥＤ
１０２、２０２  液晶層
１０３、２０３  導光板
１０４  反射シート
２２０  遮光シート
【図１】
2014090392.tif 000003
【図２】
2014090392.tif 000004
【図３】
2014090392.tif 000005
【図４】
2014090392.tif 000006
【図５】
2014090392.tif 000007
【図６】
2014090392.tif 000008
【図７】
2014090392.tif 000009
【図８】
2014090392.tif 000010
【図９】
2014090392.tif 000011
【図１０】
2014090392.tif 000012
【図１１】
2014090392.tif 000013
【図１２】
2014090392.tif 000014
【図１３】
2014090392.tif 000015
【図１４】
2014090392.tif 000016
【図１５】
2014090392.tif 000017
【図１６】
2014090392.tif 000018